(57)【要約】      （修正有）【課題】果物の輸送の際の傷みを抑え、製造コストを抑えた果物用輸送容器を提供する。【解決手段】果物輸送用容器を、中空容器１と、中空容器の内部に張ったネット３，４と、ネットの下に配置した線状部材２とを備えるものとした。果物の種類としては、特に苺が適している。また、線状部材を、前記中空容器の中央から放射状に配置すると高級感が演出できて、好ましい。また、本発明の他の観点によれば、果物輸送容器を、中空容器と、中空容器の内部に張ったネットと、ネット上に配置された果物が前記中空容器に接触しない位置に保持する保持部材とを備えるものとした。また、本発明の他の観点によれば、果物輸送用容器を、中空容器と、中空容器の内部に張ったネットと、ネット上に配置された果物が中空容器に接触しない位置に保持する保持部材とを備えるものとした。【選択図】図１
2019127302.tif 000002
【特許請求の範囲】
【請求項１】
中空容器と、前記中空容器の内部に張ったネットと、前記ネットの下に配置した線状部材とを備える果物輸送用容器。
【請求項２】
前記線状部材が、前記中空容器の中央から放射状に配置されたことを特徴とする請求項１記載の果物輸送用容器。
【請求項３】
中空容器と、前記中空容器の内部に張ったネットと、前記ネット上に配置された果物が前記中空容器に接触しない位置に保持する保持部材とを備える果物輸送用容器。
【請求項４】
中心部から放射状に突起のある中空容器と、前記中空容器の内部に張ったネットとを備える果物輸送用容器。
【請求項５】
中心部から放射状に突起のある中空容器の上にネットを張ったことを特徴とする果物輸送用容器。
【請求項６】
中心部から放射状に突起のある中空容器と、前記中空容器の内部に張ったネットとを備え、前記突起が、前記ネット上に配置された果物が前記中空容器に接触しないように配置されていることを特徴とする果物輸送用容器。
【請求項７】
前記果物が苺であることを特徴とする請求項１乃至請求項６のいずれかに記載の果物輸送用容器。
【発明の詳細な説明】
【技術分野】
【０００１】
本発明は、果物輸送用容器に関するものであり、特に苺等の腐食しやすく、傷つきやすい果物を輸送するための容器に適したものである。
【背景技術】
【０００２】
我が国の苺は、大粒で甘みが強く、海外でも高く評価されている。しかし、特に苺を長距離に渡り輸送する場合、苺が傷んでしまうと商品価値が著しく低下してしまうという課題がある。
【０００３】
非特許文献１には、「ゆりかーご」という苺用容器が記載されている。「ゆりかーご」は、柔らかいフィルム素材の窪みに苺を入れ、宙づり構造で、振動を緩和し、擦れ傷の防止を図ったものである。
【０００４】
非特許文献２には、「フルテクター」というイチゴ品質保持容器が記載されている。「フルテクター」は、ポリエステルで作った緩衝材に窪みを作り、苺を置き、上部から伸縮性フィルムで挟み込むことで、上下方向の振動だけでなく、横方向の振動に対しても苺が動かないようにすることで品質の保持を図っている。
【０００５】
非特許文献３には、「フレシェル」というイチゴ用容器が記載されている。「フレシェル」は、最も硬い部分の果底部と茎で苺を保持し、柔らかい部分には一切接触することがなく、接触による果肉の劣化を図っている。
【先行技術文献】
【非特許文献】
【０００６】
【非特許文献１】http://www.osk.co.jp/product/release.html
【０００７】
【非特許文献２】http://www.tokan.co.jp/ntp/product/ichigo.html
【０００８】
【非特許文献３】http://special.nikkeibp.co.jp/NBO/businessfarm/agribusiness/04/
【発明の概要】
【発明が解決しようとする課題】
【０００９】
非特許文献１に記載の容器は、輸送中の揺れで苺が、フィルムに窪みを作るために必要な突起部分に接触し、傷む。また、柔らかいフィルム素材の通気性が悪く、フィルムの底に水分が溜まり、苺の腐食を促進してしまうという課題がある。
【００１０】
非特許文献２の容器は、苺の動きを止め、苺の傷みを抑えることができるが、パッケージ自体のコストが高くなるという課題がある。また、容器内に無駄なスペースが多く、輸送する際にコストがかかるという課題がある。
【００１１】
非特許文献３の容器は、高級苺を一つずつ包装する容器であるため、複数の苺を輸送する場合、大きなコストがかかるという課題がある。
【００１２】
そこで、本発明は上記課題に鑑み、果物の輸送の際の傷みを抑え、製造コストを抑えた果物輸送用容器を提供することを目的とする。
【課題を解決するための手段】
【００１３】
本発明の一つの観点によれば、上記課題を解決するために、果物輸送用容器を、中空容器と、前記中空容器の内部に張ったネットと、前記ネットの下に配置した線状部材とを備えるものとした。果物の種類としては、特に腐食しやすく傷みやすい苺が適している。また、前記線状部材を、前記中空容器の中央から放射状に配置すると高級感が演出できて、好ましい。
【００１４】
また、本発明の他の観点によれば、果物輸送容器を、中空容器と、前記中空容器の内部に張ったネットと、前記ネット上に配置された果物が前記中空容器に接触しない位置に保持する保持部材とを備えるものとした。
【００１５】
また、本発明の他の観点によれば、果物輸送用容器を、中空容器と、前記中空容器の内部に張ったネットと、前記ネット上に配置された果物が前記中空容器に接触しない位置に保持する保持部材とを備えるものとした。
【００１６】
また、本発明の他の観点によれば、果物輸送用容器を、中心部から放射状に突起のある中空容器と、前記中空容器の内部に張ったネットとを備えるものとした。
【００１７】
また、本発明の他の観点によれば、果物輸送用容器を、中心部から放射状に突起のある中空容器と、前記中空容器の内部に張ったネットとを備え、前記突起が、前記ネット上に配置された果物が前記中空容器に接触しないように配置されたものとした。
【発明の効果】
【００１８】
本発明によれば、果物の傷みを抑え、製造コストを抑えた果物用容器を提供することができる。
【図面の簡単な説明】
【００１９】
【図１】本発明の実施例１の概略を示す図である。
【図２】本発明の実施例１の試作品の一部の写真を示す図である。
【図３】本発明の実施例２の概略を示す図である。
【図４】本発明の実施例３の試作品の写真を示す図である。
【図５】本発明の実施例４の試作品の写真を示す図である。
【図６】本発明の実施例５の試作品の写真（その１）を示す図である。
【図７】本発明の実施例５の試作品の写真（その２）を示す図である。
【図８】本発明の実施例５の試作品の写真（その３）を示す図である。
【図９】本発明の実施例５の試作品の写真（その４）を示す図である。
【図１０】本発明の実施例５の試作品の概略（その１）を示す図である。
【図１１】本発明の実施例５の試作品の概略（その２）を示す図である。
【図１２】本発明の実施例５の試作品の概略（その３）を示す図である。
【図１３】本発明の実施例６の試作品の写真（その１）を示す図である。
【図１４】本発明の実施例６の試作品の写真（その２）を示す図である。
【図１５】本発明の実施例６の試作品の写真（その３）を示す図である。
【図１６】本発明の実施例６の写真（その４）を示す図である。
【図１７】本発明の実施例６の概略（その１）を示す図である。
【図１８】本発明の実施例６の概略（その２）を示す図である。
【図１９】本発明の実施例６の概略（その３）を示す図である。
【発明を実施するための形態】
【００２０】
以下、本発明の実施例を説明するが、本発明の実施形態は以下の実施例に限定されるものではない。
【実施例１】
【００２１】
本発明の実施例１は、図１に示すように、中空のプラスチック容器１の下半分に一定の張力をかけた線状部材２を張り、その上に柔らかいネット（網）３を張る。苺（図示せず。）は、線状部材と線状部材の間に配置する。プラスチック容器１の上半分には、下部と同じく柔らかいネット４を張り、苺を上下から柔らかいネット素材で挟む構成となっている。本実施例は柔らかいストッキングタイプのネット素材を苺の容器に利用し、また衝突による傷みの原因となっていた苺を仕切るためのプラスチックの突起部分を失くすことにより、硬いプラスチック部分にぶつかって傷んでしまうという課題を解決した。本実施例では、平行四辺形に紐（線状部材）を張り、苺を交互に配置できる。仮に線状部材がなかったとすると、ネット素材の中央部に苺を配置した場合、苺の重さでネット素材が変形し、苺が硬い容器に接触し、接触部から苺の腐食が進んでしまうおそれがある。そこで、本実施例では、苺を宙に浮かせたまま保持するために、中空容器に線状部材を張っている。
【００２２】
線状部材２は、例えば紐、糸、ピアノ線、金属ワイヤー等で構成することが可能であるが、線状であり、容器中心部に配置した苺が、容器に直接接触しないように宙に浮いた状態で保持できるものであれば、これらの素材に限らない。
【００２３】
容器１の材料は、現在の苺輸送用容器で多く使用されているプラスチックでも良いし、段ボール紙でも、発砲スチロールでもかまわない。
【００２４】
図２は、本実施例の試作品の一部（下の部分）の写真を示す図である。２１は、本物の苺ではなく、粘土にアルミホイルを巻いて作成した苺を模擬したもの（模擬苺）であり、苺と同様の形状、大きさ、重さとなるように作成されている。図２の線状部材２は、紐で構成されている。
【００２５】
本実施例の特徴を整理すると、本実施例では、輸送時の揺れによって容器の上面と下面に苺が衝突し、苺が傷むのを防ぐために、苺を固定する際の素材として柔らかく通気性のあるストッキング素材で上下から苺を挟み込んでいる。また、紐の張力を利用し、苺を個別に配置できるような仕切りを作っている。ハンモックのような構造の苺輸送容器である。
【００２６】
従来技術に対する本発明の効果について以下説明する。
【００２７】
本発明によれば、非特許文献１の容器の課題である、突起部分をなくすことができ、苺が接触する部分をなくすことができる。さらにネット素材を利用することで、通気性を高め、苺の腐食の進行を防ぐ効果がある。
【００２８】
非特許文献２の容器の課題であるコスト面については、非特許文献２の容器では、容器のサイズに対して苺の収容量が少なく、スペース削減が出来ないためコストが掛かってしまっていたが、この「ストッキング素材を用いた苺の輸送用容器」はプラスチックの突起の仕切りを使わずスペースを削減することでより低コストでの製造が可能となる。
【００２９】
非特許文献３の容器の課題である、輸送する個数に関しても、本発明の苺輸送容器は、ネットのサイズや紐の張力を調整することで、様々なサイズのパッケージに応用可能であることから、複数個輸送するパッケージとして有効であるといえる。
【実施例２】
【００３０】
図３は、本発明の実施例２の概略を示す図であり、図３の左の図は容器を開けた状態、図３の右の図は容器を閉じた状態を示している。実施例１と同じ部分は、説明を省略する。３１は、苺である。実施例１では、線状部材を平行四辺形状に張っているが、本実施例では、中空容器の中央から放射状に線状部材２を張っている。放射状に線状部材２を張ると、ケーキのデコレーションのように高級感を演出することができる。
【実施例３】
【００３１】
図４は、本発明の実施例３の試作品の写真を示す図である。実施例１と同じ部分は、説明を省略する。本実施例が実施例１と異なる点は、実施例１では線状部材２を紐を張って構成しているが、本実施例では、線状部材２を、六角形の辺状に、プラスチックのシート状あるいはフィルム状に形成し、苺を配置すべき場所に穴を開けている点である。本実施例の構成でも、苺を硬い容器に接触させず、宙に浮いた状態で保持し、傷みを抑えることができる。
【実施例４】
【００３２】
図５は、実施例４の試作品の写真を示す図である。実施例１と同じ部分は説明を省略する。図５が実施例１と異なる点は、実施例１は、線状部材２を中空容器状に配置しているが、本実施例には線状部材２を配置せず、線状部材２の代わりに中空容器１の内部の所定の位置に、突起状の保持部材５１を配置し、保持部材５１の間に苺を配置することにより、苺が容器に接触しないで宙に浮いた状態で保持している点である。本実施例のように、線状部材２を張らなくても、保持部材５１を中空容器の内部の適切な位置に配置することによって、苺の傷みを抑えることができる。
【実施例５】
【００３３】
図６から図９は、実施例５（サンプル１）の試作品の写真を示す図であり、図１０から図１２は、実施例５の概略を示す図である。実施例２と同様に、中心部から放射状に仕切り７１を備えた容器だが、突起部分７２が下面一体のプラスチック容器ではなく、厚手の紙を使用することでより軟質な仕切り７１を作っている。具体的には画用紙等に切り込みを入れ内側に折り込むことで苺７３を配置する空間を作っている。突起部分７１の上に、柔らかいネット３を張っている。
【実施例６】
【００３４】
本発明の実施例６（サンプル２）は、図１３から図１９に示すように、中空のプラスチック容器１の下半分に中心部７４から放射状に突起７２を備え、その上に柔らかいネット（網）３を張る。苺７３は、突起と突起の間に配置する。プラスチック容器１の上面においては、軟質のフィルムや緩衝材等によって固定し、苺の位置がずれてしまうのを防ぐ。本実施例は柔らかいストッキングタイプのネット素材３を苺の容器に利用し、また苺を円形に配置し、各苺をヘタに近い位置で均等に固定することで、苺の最も傷みやすい先端部が容器の突起部分に衝突してしまうという課題を解決した。また苺を円形に配置することでケーキのデコレーションのように高級感を演出することができる。本実施例では、突起部７２が容器１と一体になって形成されているところが特徴の一つである。
【００３５】
仮に中心部から放射状に突起した部分がなかったとすると、ネット素材の中央部に苺を配置した場合、苺の重さでネット素材が変形し、苺が中心に沈み込み、接触部から苺の腐食が進んでしまうおそれがある。そこで、本実施例では、苺を宙に浮かせたまま保持するために、中空容器１に放射状の突起７２を備えている。
【００３６】
本実施例では、苺を個別に配置できるような仕切りを作ることで、苺同士がぶつかって腐食するのを防いでいる。また、本実施例では、上面容器をなくし、苺を収容するため、スペースを削減することができた。
【００３７】
実施例１から実施例６の試作品を比較したところ、実施例６の試作品が最も苺同士の接触を防止する効果が高く、苺の腐食、傷みを防止することができた。
【産業上の利用可能性】
【００３８】
本発明は、果物輸送容器として産業上利用可能である。
【符号の説明】
【００３９】
１  中空容器
２  線状部材
３、４  ネット（網）
２１  模擬苺
３１  苺
５１  保持部材
７１  仕切り
７２  突起部
７３  苺
７４  容器中心部
【図１】
2019127302.tif 000003
【図２】
2019127302.tif 000004
【図３】
2019127302.tif 000005
【図４】
2019127302.tif 000006
【図５】
2019127302.tif 000007
【図６】
2019127302.tif 000008
【図７】
2019127302.tif 000009
【図８】
2019127302.tif 000010
【図９】
2019127302.tif 000011
【図１０】
2019127302.tif 000012
【図１１】
2019127302.tif 000013
【図１２】
2019127302.tif 000014
【図１３】
2019127302.tif 000015
【図１４】
2019127302.tif 000016
【図１５】
2019127302.tif 000017
【図１６】
2019127302.tif 000018
【図１７】
2019127302.tif 000019
【図１８】
2019127302.tif 000020
【図１９】
2019127302.tif 000021
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
中心部から放射状に突起のある中空容器と、前記中空容器の内部かつ前記突起の上に張ったネットとを備え、前記突起が、前記ネット上に配置された果物が前記中空容器に接触しないように配置されていることを特徴とする果物輸送用容器。
【請求項２】
前記突起が、先端部が突き出た形状をしていることを特徴とする請求項１に記載の果物輸送用容器。
【請求項３】
前記果物が苺であることを特徴とする請求項１又は請求項２に記載の果物輸送用容器。
【請求項４】
前記中空容器の上半分にネットが張られ、前記果物を、前記突起の上に張ったネットと前記中空容器の上半分に張られたネットの間に挟み込める構成としたことを特徴とする請求項１に記載の果物輸送用容器。